(57)【要約】      （修正有）【課題】左右両側から取出可能な自転車用ボトルケージを提供する。【解決手段】自転車用ボトルケージは、ボトルケージ本体１０と２つのストッパー２０を含む。ボトルケージ本体には背板１１があり、背板の両側はそれぞれ弾性クリップ１３に接続され、弾性クリップには段差があり、弾性クリップの上部と下部にはそれぞれ横から取出し可能な開口１４が形成され、背板は第一端１５と第二端１６があり、第一端と第二端はそれぞれ背板の内側に収容溝１７があり、収容溝の中にコネクタ１８が設けられる。ストッパーの一端にはジョイント部２１が設けられ、ジョイント部とコネクタによって、ストッパーが旋回可能にボトルケージ本体に組み合わされる。利き手に応じて、第一端或いは第二端を上に向け、収容溝から下のストッパーを回して突出させる。開口から入れたボトルがストッパーに支えられると共に、横から取出し可能となる。【選択図】図２
0003198435.tif 000002
【実用新案登録請求の範囲】
【請求項１】
ボトルケージ本体と２つのストッパーを含む自転車用ボトルケージであり、
ボトルケージ本体には背板があり、背板の両側には前向きのアーク状の弾性クリップが接続され、該２つの弾性クリップは段差があるため、弾性クリップの上部と下部には横から取出し可能な開口が形成され、かつ該背板は第一端と第二端を有し、第一端と第二端は背板の内側に収容溝があり、収容溝の中にはコネクタが設けられ、ストッパーの一端にはジョイント部が設けられ、ジョイント部とコネクタによって、ストッパーをボトルケージ本体に容易に組み合わせ、従って、ライダーの利き手に合わせて第一端或いは第二端を上に向いて、収容溝から下方のストッパーを回り出すことにより、横から取出し可能な開口から入ったボトルが該ストッパーにより支えられて定位されることを特徴とする左右側から取出可能な自転車用ボトルケージ。
【請求項２】
背板には固定孔が設けられることを特徴とする請求項１に記載の左右側から取出可能な自転車用ボトルケージ。
【請求項３】
コネクタは収容溝とストッパーのジョイント部を同時に挿し込んでいるボルトであることを特徴とする請求項１に記載の左右側から取出可能な自転車用ボトルケージ。
【請求項４】
コネクタは水平棒であり、ジョイント部はストッパーの一側の表面から突き出されているC型座であり、該C型座が水平棒をはめることにより、ストッパーをボトルケージ本体に容易に組み合わせ、ストッパーを容易に取出しまたは収容溝に挿入して隠すことを特徴とする請求項１に記載の左右側から取出可能な自転車用ボトルケージ。
【請求項５】
水平棒は一体的に収容溝内に設けられていることを特徴とする請求項４に記載の左右側から取出可能な自転車用ボトルケージ。
【請求項６】
水平棒の後方周縁には共に隣接する２つの凹部が設けられ、C型座の開口の内側にはフックブロックが形成され、該フックブロックが１つの凹部に挿し込まれて、ストッパーを収容溝から取出す或いは収容溝へ挿入するという２つの位置を転換するときでも、確実に位置を制限することができ、少なくとも１つの凹部の端縁は面取りされており、別の凹部と隣接した状態を維持することを特徴とする請求項４に記載の左右側から取出可能な自転車用ボトルケージ。
【請求項７】
C型座には２つの弾性溝が設けられていることを特徴とする請求項４に記載の左右側から取出可能な自転車用ボトルケージ。
【請求項８】
ストッパーと収容溝の両方を組み合わせる端部と違う端部にはそれぞれ定位突起と定位孔が設けられることを特徴とする請求項１に記載の左右側から取出可能の自転車用ボトルケージ。
【考案の詳細な説明】
【技術分野】
【０００１】
本考案は、左右側から取出可能な自転車用ボトルケージに関し、特に左手と右手での使い勝手がよい自転車用ボトルケージに関する。
【背景技術】
【０００２】
自転車に乗って運動のために走るとき、体内の水分をたくさん失ってしまう際に、水分の補給が重要となる。故に、ボトルを収容する装置を自転車に設置して自転車に乗るときにいつでもボトルを取ることができる自転車用ボトルケージが次々に開発されている。
【０００３】
従来のボトルケージは、自転車につける取り付け具と、ボトルを取る開口を有する枠があり、使用する際、開口からボトルを中に入れて置き、そのボトルは取り付け具と枠の間に挟まれているため、自転車と共に走ることができる。水を飲む時はボトルを開口から取れば良い。
【０００４】
しかし、上述のような従来のボトルケージは以下の欠点が存在する：該開口の方向が決まり、ライダーの利き手に合わせて相対的に調整することができないため、ライダーの利き手が開口の方向と異なると、ボトルを取ることが不便になる。さらに、枠の構造に制限されるため、安全に走行することに悪影響を与える。
【０００５】
従って、上述のような従来の自転車用ボトルケージに存在する欠点について研究改良することが実に業界が努力して研究開発する目標となった。本考案者はこれらに鑑み、創作の意が芽生え、長年の経験に基づいて設計し、多方面に探究した上に試作品を制作し、修正改良を重ねた上で本考案を生み出した。
【考案の概要】
【考案が解決しようとする課題】
【０００６】
従来のボトルケージは開口の方向が決まり、ライダーの利き手に合わせて相対的な調整することができないため、これが解決しようとする問題点である。
【課題を解決するための手段】
【０００７】
本考案は左右側から取出可能な自転車用ボトルケージを提供する。自転車用ボトルケージはボトルケージ本体と２つのストッパーを含む自転車用ボトルケージであり、ボトルケージ本体には背板があり、背板の両側には前向きのアーク状の弾性クリップが接続され、該２つの弾性クリップは段差があるため、弾性クリップの上部と下部には横から取出し可能な開口が形成され、かつ該背板は第一端と第二端を有し、第一端と第二端は背板の内側に収容溝があり、収容溝の中にはコネクタが設けられ、ストッパーの一端にはジョイント部が設けられ、ジョイント部とコネクタによって、ストッパーをボトルケージ本体に組み合わせやすい、従って、ライダーの利き手に合わせて第一端或いは第二端を上に向けて、収容溝から下のストッパーを回して出し、横から取出し可能な開口から入れるボトルを該ストッパーで支えて定位することができる。
従来の製品に比べて、以下の利点がある。
すなわち、
【０００８】
（一）本考案に係る左右側から取出可能な自転車用ボトルケージにおいて、ボトルケージ本体はライダーの利き手に合わせて相対的に調整することができる。従って、走るときの安全が確保できるようになる。
【０００９】
（二）本考案に係る左右側から取出可能な自転車用ボトルケージにおいて、ボトルケージ本体が左手と右手のどちらでも使用することができるため、ライダーの需要が満たされる。従って、市場占有率が大幅に増加するようになる。
【図面の簡単な説明】
【００１０】
【図１】図１は、本考案を示す立体組立図である。
【図２】図２は、本考案を示す立体分解図である。
【図３】図３は、本考案のストッパーを示す立体拡大図である。
【図４】図４は、本考案を示す断面及び部分拡大図である。
【図５】図５は、本考案において、第一端が上に向かう状態で使用することを示す平面図である。
【図６】図６は、本考案において、第二端が上に向かう状態で使用することを示す立体図である。
【図７】図７は、本考案において、第二端が上に向かう状態で使用することを示す平面図である。
【考案を実施するための形態】
【００１１】
まず、図１から図４を参照されたい。左右側から取出可能な自転車用ボトルケージはボトルケージ本体（１０）、２つのストッパー（２０）を含む。ボトルケージ本体（１０）には背板（１１）があり、上記背板（１１）には固定孔（１２）が設けられるため、ネジを固定孔（１２）に挿し入れることができ、ボトルケージ本体（１０）が自転車のフレームに固定される。
該背板（１１）の両側は前向きのアーク状の弾性クリップ（１３）が接続されている。該２つの弾性クリップ（１３）には段差があるため、弾性クリップ（１３）の上部と下部には横から取出し可能な開口（１４）が形成される。該背板（１１）は第一端（１５）と第二端（１６）を有し、該第一端（１５）と第二端（１６）は該背板（１１）の内側に収容溝（１７）があり、該収容溝（１７）の中にはコネクタ（１８）が設けられ、該ストッパー（２０）の一端にジョイント部（２１）が設けられ、該ジョイント部（２１）とコネクタ（１８）によって、該ストッパー（２０）をボトルケージ本体（１０）に容易に組み合わせることができる。従って、ライダーの利き手に合わせて、第一端（１５）或いは第二端（１６）を上に向けて、該収容溝（１７）から下のストッパー（２０）を回り出し、横から取出し可能な開口（１４）から入るボトル（３０）を該ストッパー（２０）に支えて定位される。
【００１２】
本考案に係る左右側から取出可能な自転車用ボトルケージにおいて、コネクタ（１８）は収容溝（１７）とストッパー（２０）のジョイント部（２１）を同時に挿し込んでいるボルトである。
【００１３】
本考案に係る左右側から取出可能な自転車用ボトルケージにおいて、コネクタ（１８）は水平棒（１８０）であり、ジョイント部（２１）はストッパー（２０）の一側の表面から突き出されているC型座（２１０）であり、該C型座（２１０）が水平棒（１８０）をはめることにより、ストッパー（２０）をボトルケージ本体（１０）に組み合わせやすい、ストッパー（２０）を順調に出し、或いは入れて収容溝（１７）に隠すことができる。
【００１４】
本考案に係る左右側から取出可能な自転車用ボトルケージにおいて、水平棒（１８０）は一体的に収容溝（１７）のなかに設けられたものである。
【００１５】
本考案に係る左右側から取出可能な自転車用ボトルケージにおいて、水平棒（１８０）の後の縁の共に隣接する２つの凹部（１８１）が設けられ、C型座（２１０）の開口の内側にフックブロック（２１１）を、該フックブロック（２１１）を１つの凹部（１８１）のいずれかに挿し込み、そして、ストッパー（２０）を収容溝（１７）から出す或いは収容溝に入れることによって両位置を転換するとき、確実な制限をするようになる。少なくとも１つの凹部（１８１）の端縁は面取り（１８２）されており、別の凹部（１８１）と隣接した状態で維持される。
【００１６】
本考案に係る左右側から取出可能な自転車用ボトルケージにおいて、C型座（２１０）には２つの弾性溝が設けられている。
【００１７】
本考案に係る左右側から取出可能な自転車用ボトルケージにおいて、ストッパー（２０）と収容溝（１７）は両方を組み合わせる端部とは違う端部にそれぞれ定位突起（１７１）と定位孔（２０１）が設けられる。
続いて図５から図７に示すように、実際に使用する際、ライダーの利き手に合わせて、第一端（１５）或いは第二端（１６）を上に向けて、ボトルケージ本体（１０）を自転車に固定する。従って、第一端（１５）或いは第二端（１６）の方向の横から取出し可能な開口（１４）によって、ボトルケージはライダーの利き手に合わせ、右側または左側に回転される。下にあるストッパー（２０）を収容溝（１７）から回転して出し、横から取出し可能な開口（１４）から入れたボトル（３０）を該ストッパー（２０）で支えて定位する。上記によって、自転車にボトル（３０）を装着して走ることができるため、自転車に乗る時でもボトル（３０）を取出して水分を補充することができる。
【００１８】
以上の具体的な実施例により、以下の利点が得られる：
（一）ボトルケージ本体（１０）はライダーの利き手に合わせて相対的に調整することができる。従って、ボトルケージ本体（１０）の取出と挿入が容易になり、走るときの安全が確保されるようになる。
（二）ボトルケージ本体（１０）が左手と右手で使用可能になるため、ライダーの需要が満たされる。従って、市場占有率が大幅に増加するようになる。
【００１９】
以上は、本考案の良い実施例の一部に過ぎないが、本考案の実施範囲を制限するものではない。即ち、本実用新案登録請求の範囲内で行われる変化、修飾なども本考案の範囲内に属すべきである。
【符号の説明】
【００２０】
１０        ボトルケージ本体
１１        背板
１２        固定孔
１３        弾性クリップ
１４        横から取出し可能な開口
１５        第一端
１６        第二端
１７        収容溝
１７１      定位突起
１８        コネクタ
１８０      水平棒
１８１      凹部
１８２      面取り
２０        ストッパー
２０１      定位孔
２１        ジョイント部
２１０      C型座
２１１      フックブロック
２１２      弾性溝
３０        ボトル
【図１】
0003198435.tif 000003
【図２】
0003198435.tif 000004
【図３】
0003198435.tif 000005
【図４】
0003198435.tif 000006
【図５】
0003198435.tif 000007
【図６】
0003198435.tif 000008
【図７】
0003198435.tif 000009